(57)【要約】【課題】  選択画面であっても所望の車両情報を表示でき利便性の良い車両用表示装置を提供する。【解決手段】  車両の各種情報を表示する表示手段３と、この表示手段３を表示制御する制御手段２と、を備えた車両用表示装置において、制御手段２は、前記各種情報のうち何れかの情報を詳細に表示するかを選択するための選択画面を表示手段３に表示させ、この際、前記情報の計測値を簡略表示する簡略表示部３１ｂを含む被選択項目３１を表示させてなる。【選択図】  図１
2010076458.tif 000002
【特許請求の範囲】
【請求項１】
車両の各種情報を表示する表示手段と、この表示手段を表示制御する制御手段と、を備えた車両用表示装置において、
前記制御手段は、前記各種情報のうち何れかの情報を詳細に表示するかを選択するための選択画面を前記表示手段に表示させ、この際、前記情報の計測値を簡略表示する簡略表示部を含む被選択項目を表示させてなることを特徴とする車両用表示装置。
【請求項２】
車両利用者による操作に応じて前記制御手段に操作信号を発する入力手段を備え、
前記制御手段は、前記入力手段からの操作信号に基づいて、前記各種情報のうち何れかの情報を詳細に表示するかを選択してなることを特徴とする請求項１に記載の車両用表示装置。
【請求項３】
前記制御手段は、前記選択画面において、選択状態を示す選択表示部を表示させてなることを特徴とする請求項１に記載の車両用表示装置。
【請求項４】
前記制御手段は、前記選択画面にて何れかの被選択項目が選択決定された場合、前記選択画面において表示されていた前記被選択項目に関連する複数の情報について詳細表示させてなることを特徴とする請求項１に記載の車両用表示装置。
【請求項５】
前記制御手段は、前記選択画面にて何れかの被選択項目が選択決定された場合、前記選択画面において表示されていた前記被選択項目の情報について、前記簡略表示部より細かな分解能にて計測値を詳細表示させてなることを特徴とする請求項１に記載の車両用表示装置。
【発明の詳細な説明】
【技術分野】
【０００１】
本発明は、車両の各種情報を表示する表示手段と、この表示手段を表示制御する制御手段と、を備えた車両用表示装置に関し、例えば、前記表示手段の画面を切り換えて車両利用者の所望の情報を表示する車両用表示装置に好適である。
【背景技術】
【０００２】
従来、車両用表示装置は、車両のインストルメントパネルにおいて、運転者（車両利用者）が視認可能な位置に設けられている。この車両用表示装置は、車両の走行速度やエンジン回転数の他に、車両の積算走行距離を表示するオドメータやトリップメータ、外気温度や燃費などの車両情報を表示するための有機ＥＬ、または液晶ディスプレイなどの表示パネルを用いるものがある。これらの車両用表示装置は、スイッチなどの入力手段を用いてこれらの車両情報を切り換え表示させることによって、複数の車両情報の項目を一箇所の表示パネル（表示手段）に選択的に表示させるようにしている（例えば、特許文献１に記載）。これにより、限りある表示スペースであっても多種類の情報を確認することが可能となる。
【特許文献１】特開平７−１５６６９０号公報
【発明の開示】
【発明が解決しようとする課題】
【０００３】
しかしながら、上述した従来の車両用表示装置にあっては、多種類の車両情報の中から画面を切り換えて所望の車両情報について選択的に表示させる場合には、運転者が所望の車両情報を表示させるまでに、表示パネルの表示を確認しながらスイッチを何度も操作しなくてはならない。特に、車両情報の選択肢が多い場合には、この選択作業が煩雑なものになってしまうという問題があった。
【０００４】
また、車両情報の項目を一覧表示するなど選択画面を表示させ、所望の車両情報を確認できるまでのスイッチの操作回数を低減することも考えられるが、選択画面を表示している際に、車両情報（計測値）を確認できないといった問題があった。
【０００５】
そこで本発明の目的とするところは、上述した問題に着目してなされたものであって、選択画面であっても所望の車両情報を表示でき利便性の良い車両用表示装置を提供することにある。
【課題を解決するための手段】
【０００６】
本発明の車両用表示装置は、請求項１に記載したように、車両の各種情報を表示する表示手段と、この表示手段を表示制御する制御手段と、を備えた車両用表示装置において、前記制御手段は、前記各種情報のうち何れかの情報を詳細に表示するかを選択するための選択画面を前記表示手段に表示させ、この際、前記情報の計測値を簡略表示する簡略表示部を含む被選択項目を表示させてなることを特徴とする車両用表示装置。
【０００７】
また、請求項２に記載したように、請求項１に記載の車両用表示装置において、車両利用者による操作に応じて前記制御手段に操作信号を発する入力手段を備え、前記制御手段は、前記入力手段からの操作信号に基づいて、前記各種情報のうち何れかの情報を詳細に表示するかを選択してなることを特徴とする。
【０００８】
また、請求項３に記載したように、請求項１に記載の車両用表示装置において、前記制御手段は、前記選択画面において、選択状態を示す選択表示部を表示させてなることを特徴とする。
【０００９】
また、請求項４に記載したように、請求項１に記載の車両用表示装置において、前記制御手段は、前記選択画面にて何れかの被選択項目が選択された場合、前記選択画面において表示されていた前記被選択項目に関連する複数の情報について詳細表示させてなることを特徴とする。
【００１０】
また、請求項５に記載したように、請求項１に記載の車両用表示装置において、前記制御手段は、前記選択画面にて何れかの被選択項目が選択された場合、前記選択画面において表示されていた前記被選択項目の情報について、前記簡略表示部より細かな分解能にて計測値を詳細表示させてなることを特徴とする。
【発明の効果】
【００１１】
本発明は、車両の各種情報を表示する表示手段と、この表示手段を表示制御する制御手段と、を備えた車両用表示装置に関し、選択画面であっても所望の車両情報を表示でき利便性の良い車両用表示装置となる。
【発明を実施するための最良の形態】
【００１２】
以下、本発明が適用された実施の形態について添付図面を用いて説明する。
【００１３】
本発明の車両用表示装置を車両に搭載される車両用計器に適用したものを例に挙げて説明する。車両用表示装置は、図１に示すように、操作スイッチ（入力手段）１と、制御手段２と、表示手段３と、から主に構成されている。
【００１４】
操作スイッチ１は、表示手段３が表示している情報を操作者（車両利用者）の押し圧操作に基づいて切り換えるための入力手段であり、前記押し圧操作に応じた操作信号を制御手段２に出力する。図２に示すように、この場合、操作スイッチ１は、車両用計器内における表示手段３の近傍に設けられる。なお、操作スイッチ１は、この場合、車両用計器に選択切り換え用のスイッチ２個と、選択決定用スイッチ１個にて構成されるが、例えば、インストルメントパネルあるいはステアリングに設けても良く、車両利用者にとって表示手段３を視認しながら操作可能な位置に１個以上設けて構成することができる。
【００１５】
制御手段２は、例えば、マイクロコンピュータを適用でき、操作スイッチ１からの入力情報、または、図示しないがＣＡＮ（Ｃｏｎｔｒｏｌｌｅｒ  Ａｒｅａ  Ｎｅｔｗｏｒｋ）通信ケーブルを経由して別途車両に搭載されるＥＣＵから走行速度や燃料消費量などの各種情報を入力できるように接続される。
【００１６】
また、制御手段２は、操作スイッチ１からの操作信号や各種情報に基づいて演算処理するためのＣＰＵと、このＣＰＵにおける演算処理結果等を一時的に格納する読み出し及び書き換え可能なＲＡＭや、制御プログラムや制御データを格納したＲＯＭから構成される記憶部と、前記各種情報や制御信号、クロック信号やラッチ信号などをやり取りするためにバス接続された入出力インターフェイスと、を備えている。また、制御手段２は、表示手段３を駆動するための駆動ドライバや、図２に示すアナログ表示部４を制御する指針制御部を設けている。
【００１７】
表示手段３は、車両のインストルメントパネルに設けられる車両用計器内において、制御手段２からの制御信号に基づいて表示するものであり、例えば、液晶表示パネルまたは有機ＥＬパネルを適用できる。この場合、表示手段３は、総積算走行距離や区間走行距離、車両外気温度、平均燃費値、瞬間燃費値などをバー表示や数値などで切り換え表示するものである。なお、この場合、車両用計器は、この表示手段３の他に、走行速度を表示するための指針や文字板を用いた、所謂アナログ表示部４を備えているが、例えば、表示手段３によって、制御信号に応じて回動する指針と、この指針の指示対象となる目盛りや数値等の指標と、描画して液晶表示パネルを用いて表現することもできる。
【００１８】
以下、制御手段２による処理について説明する。
【００１９】
制御手段２は、図２に示すように、複数の車両情報の項目を被選択項目３１として表示する選択画面を表示手段３に表示させるとともに、何れの項目が選択状態であるかを示すカーソル（選択表示部）３２が表示されている。また、被選択項目３１には、項目名３１ａとともに、簡略表示部３１ｂとして、計測値を簡略的に表示させており、例えば、エンジン回転数の計測値や、燃費について代表的な項目の計測値をバーゲージや数値で表示するようにしている。
【００２０】
この選択画面において、制御手段２は、操作スイッチ１からの操作信号に基づいて、選択切り換え用スイッチが操作された場合には、カーソル３２を他の被選択項目３１を指し示すように移動する選択処理を行い、また、選択決定用スイッチが操作された場合には、選択状態の項目について、より詳細な情報が表示されるように、選択画面から詳細画面へ画面切り換え処理して表示手段３を制御する。
【００２１】
例えば、選択画面表示中に「燃費」の被選択項目３１が選択決定された場合、制御手段２は、選択画面から燃費に関する詳細画面へ切り換えて、選択画面の簡易表示部３１ｂで表示していた「平均燃費」の他に、例えば、瞬間燃費や区間燃費、航続可能距離、区間燃料消費量など、燃費に関する複数の項目についてそれぞれの計測値とともに表示させるように画像を描画処理するとともに表示手段３を制御する。これにより、車両利用者は、燃費に関連する様々な情報を一画面で詳細に確認することができる。
【００２２】
また、選択画面表示中に「エンジン回転数」の被選択項目３１が選択決定された場合、制御手段２は、選択画面からエンジン回転数に関する詳細画面に切り換えて、選択画面で表示していた計測値のバー表示（簡略表示部３１ｂの表示）よりも分解能の細かいバー表示を行う。これにより、車両利用者は、エンジン回転数の詳細な計測値を確認することができる。なお、詳細画面において、バー表示ではなく、指針や文字板を描画してなる所謂アナログ計器調の表示を行うこともできる。
【００２３】
以上の制御手段２の処理によって、限りのある表示スペースにおいて、選択画面を表示中においても、どのような項目であるか内容をある程度確認できるだけでなく、複数の項目について、ある程度の計測値を確認できるため、利便性の高い車両用表示装置となる。
【００２４】
斯かる車両用表示装置は、車両の各種情報を表示する表示手段３と、この表示手段３を表示制御する制御手段２と、を備えた車両用表示装置において、制御手段２は、前記各種情報のうち何れかの情報を詳細に表示するかを選択するための選択画面を表示手段３に表示させ、この際、前記情報の計測値を簡略表示する簡略表示部３１ｂを含む被選択項目３１を表示させてなる。
【００２５】
従って、選択画面であっても所望の車両情報を表示でき利便性の良い車両用表示装置となる。
【００２６】
また、車両利用者による操作に応じて制御手段２に操作信号を発する操作スイッチ（入力手段）１を備え、制御手段２は、操作スイッチ１からの操作信号に基づいて、前記各種情報のうち何れかの情報を詳細に表示するかを選択してなり、また、選択画面において、選択状態を示すカーソル（選択表示部）を表示させてなることによって、各種情報について計測値を簡略表示したまま所望の項目を選択可能な選択画面として構成することができる。
【００２７】
また、制御手段２は、前記選択画面にて何れかの被選択項目３１が選択された場合、前記選択画面において表示されていた被選択項目３１に関連する複数の情報について詳細表示させてなることによって、選択画面にて表示しきれない様々な情報を一画面で詳細に表示することができる。
【００２８】
また、制御手段２は、前記選択画面にて何れかの被選択項目３１が選択された場合、前記選択画面において表示されていた被選択項目３１の情報について、簡略表示部３１ｂより細かな分解能にて計測値を詳細表示させてなることによって、選択画面にて表示しきれない、より詳細な計測値を表示することができる。
【００２９】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、上述した実施の形態においては、選択表示部としてカーソル３２を用いて選択状態を表現したが、例えば、ボタン調の表示や被選択項目を指し示す矢印やアイコンの表示、選択した被選択項目のみ色を変化させるなどして、選択状態を表現することもできる。
【００３０】
また、選択画面や詳細画面において、例えば、パーキングブレーキの状態やシートベルトの警報、車両搭載機器の異常状態など、表示優先度の高いインジケータやワーニング警報を表示手段３に表示させることもできる。この際、入力手段にて選択可能なアイコンなどの簡易表示として、選択決定された際に詳細説明の表示をさせることも考えられる。
【図面の簡単な説明】
【００３１】
【図１】本発明の実施の形態の構成を示すブロック図。
【図２】同上実施の形態の車両用計器における表示手段の表示例を示す図。
【符号の説明】
【００３２】
１  操作スイッチ（入力手段）
２  制御手段
３  表示手段
【図１】
2010076458.tif 000003
【図２】
2010076458.tif 000004